(57)【要約】【課題】  デッキ材の交換が容易にできるようにしたデッキ材固定具を提供する。【解決手段】  根太に固着されるデッキ材固定用ベースと、そのベースに着脱自在に係合され、隣り合って設置されるデッキ材の隣り合う端部を固定する一対のクリップとからなる。デッキ固定用ベースは、根太の上面にねじなどの固着具により固着され、上面にデッキ材の連設方向に開口し、かつ、デッキ材の長手方向に実質的に連続する係合部を有し、クリップは、それぞれ前記係合部に摺動して着脱自在に係合される被係合部と、隣り合って設置されるデッキ材の隣り合う端部に形成されている段部に係合されて当該デッキ材を固定する固定部とを有する。【選択図】      図１
2005083015.tif 000002
【特許請求の範囲】
【請求項１】
根太の上面に固着され、デッキ材の連設方向に一定の距離を隔てた位置にデッキ材の長手方向に実質的に連続する係合部を有するデッキ固定用ベースと、
前記デッキ固定用ベースの各係合部にその係合部の連続方向に摺動して着脱自在に係合される被係合部と、隣り合って設置されるデッキ材の隣り合う端部に形成されている段部に係合されて当該デッキ材の端部を固定する固定部とを有する一対のクリップと、
からなることを特徴とするデッキ材固定具。
【請求項２】
請求項１に記載のデッキ材固定具において、前記デッキ固定用ベースは、断面形状がほぼ工字形の押出し形材を根太の幅に合わせて切断して作られていることを特徴とするデッキ材固定具。
【請求項３】
請求項１に記載のデッキ材固定具において、前記デッキ固定用ベースは、板材の中心に関して反転対称の位置においてコ字形の切線に沿って打抜き曲げ加工により形成された係合部を有していることを特徴とするデッキ材固定具。
【請求項４】
請求項２又は３に記載のデッキ材固定具において、デッキ固定用ベースの左右の係合部及びこれらに結合された左右のクリップの断面形状は左右対称形であることを特徴とするデッキ材固定具。
【発明の詳細な説明】
【技術分野】
【０００１】
本発明は、デッキ材固定具、すなわちガーデンデッキにおけるデッキ材を根太に固定するための固定具に関する。
【背景技術】
【０００２】
一般に、屋外に設置されるガーデンデッキ（以下、単にデッキという。）は、スラブに立設された複数個の束の上端部に複数本の大引を固定し、その大引の間に根太を平行に掛け渡し、それらの根太の上に、根太の長手方向に対して直角方向に延びるデッキ材を順次載せて、各デッキ材を何らかの固定具を用いて順次固定して構成されるが、デッキ上面に降った雨の排水性や砂塵の廃棄性を良くするため、各デッキ材の間に一定の隙間が確保されるように、デッキ材が固定される。
【０００３】
往時のデッキにおいては、根太に載せたデッキ材にねじを貫通し、そのねじを根太にねじ込んで固定していたため、デッキ使用期間の経過とともにねじの頭がデッキ上面に突出して怪我の原因になったり、各デッキ材の間に一様の隙間を形成することが困難であるなどの不都合があったことから、最近は、根太の上面に各デッキ材の間において固定具を配設し、その固定具により各デッキ材の位置を規制することにより、一様の隙間の確保を図るようにしたデッテ材固定技術が提案されている（特許文献１〜３参照）。
【特許文献１】特開平１１−２８０１４４号公報
【特許文献２】特開２００２−２０６２７６号公報
【特許文献３】特開２００２−４７７８２号公報
【０００４】
特許文献１のものは、図６に示すように、根太１０１に隣り合わせて載せたデッキ材１０２ａ，１０２ｂの隣り合う端部に形成されている段部１０３ａ，１０３ｂに短冊状の止め板１０４を掛け渡し、両デッキ材１０２ａ，１０２ｂを近付けることによりデッキ材間に所定の隙間を形成した状態でねじ１０５を止め板１０４に貫通し、根太１０１にねじ込むことにより両デッキ材１０２ａ，１０２ｂの一端部を固定する。右側のデッキ材１０２ｂとその右隣りに載せられるデッキ材についても、前回と同様に隣り合う両デッキ材の端部の段部に同様の止め板を掛け渡し、両デッキ材を近付けて所定隙間を形成し、その止め板にねじを貫通して根太にねじ込むことにより、各デッキ材間に一様の隙間が形成されたデッキが構成される。
【０００５】
また、特許文献２のものは、図７に示すように、根太２０１に載せた最初のデッキ材２０２ａの端部に形成してある凹溝２０３ａに両上端部に外向きに屈曲された挿入部２０４ａ，２０４ｂを有するＵ字形の固定具２０４の一方の挿入部２０４ａを嵌合してその固定具の底部に貫通したねじ２０５を根太２０１にねじ込むことにより固定具２０４を固定し、右隣りのデッキ材２０２ｂを根太２０１に載せて先のデッキ材２０２ａの方向に近付けてその凹溝２０３ｂに固定具の他方の挿入部２０４ｂを嵌合することにより、隣り合うデッキ材間に所定寸法の隙間を確保するようにしたものである。
【０００６】
そして、特許文献３のものは、図８に示すように、根太３０１の上面にねじ３０５により固定される固定部３０４ａと、固定部から立ち上がる立上がり部３０４ｂと、その上端部から互いに反対方向に突出する板状の挿入部３０４ｃ，３０４ｄとを一体に有する固定具３０４の一方の挿入部３０４ｃを根太４０１に先に載せたデッキ材４０２ａの端部の溝３０３ａに挿入して、固定部３０４に貫通したねじ３０５を根太３０１にねじ込むことにより固定具３０４を固定し、隣りのデッキ材３０２ｂはこれを根太に載せて先のデッキ材３０２ａの方向に近付けてそのデッキ材の端部の溝３０３ｂに固定具３０４の他方の挿入部３０４ｄを挿入して、挿入部３０４ｃ，３０４ｄの端部間距離により両デッキ材間に所定寸法の隙間を確保するようにしたものである。
【発明の開示】
【発明が解決しようとする課題】
【０００７】
上記先行技術は、いずれも固定具１０４，２０４，３０４が一体物で形成され、かつ、それ自体に貫通したねじ１０５，２０５，３０５を根太１０１，２０１，３０１にねじ込むことにより固定されて、隣接するデッキ材を固定している。そのため、任意の位置のデッキ材の交換又は保守のために取り外す必要が生じた場合は、ドライバを用いてねじ１０５，２０５，３０５を緩め、固定具を根太から取り外す必要がある。特許文献１のものは、比較的容易に取り外しが可能であるが、取り外し対象のデッキ材の隣りのデッキ材も一端部が押さえられない状態になるため、取り外し作業中に僅かな外力が加わると不要に移動してしまうという問題がある。また、特許文献２及び３のものは、固定具２０４，３０４の左右両側の挿入部が隣り合うデッキ材の溝に嵌合しているため、取外し対象のデッキ材を固定している固定具の取り外しが容易にできないので、取外し対象のデッキ材のみを取り外すことはできず、デッキの端部のデッキ材から取外し対象デッキ材までの全てを順次外さなければならないという不都合がある。
【０００８】
そこで、本発明は、上記従来技術の欠点を排除するために成されたものであり、その課題は、交換を必要とするデッキ材のみを容易に取り外すことができるようにしたデッキ材固定具を提供することにある。
【０００９】
他の課題は、同一の作用効果を異なる構成で実現することができるデッキ材固定具を提供することにある。
【課題を解決するための手段】
【００１０】
上記課題を解決するため、本発明によるデッキ材固定具は、（ａ）デッキ固定用ベースと一対のクリップとからなり、（ｂ）デッキ固定用ベースは、根太の上面に固着され、デッキ材の連設方向に一定の距離を隔てた位置にデッキ材の長手方向に実質的に連続する係合部を有し、（ｃ）一対のクリップは、それぞれ、前記デッキ固定用ベースの各係合部にその係合部の連続方向に摺動して着脱自在に係合される被係合部と、隣り合って設置されるデッキ材の隣り合う端部に形成されている段部に係合されて当該デッキ材の端部を固定する固定部とを有することを特徴としている。
【００１１】
請求項２の発明は、デッキ固定用ベースが、断面形状がほぼ工字形の押出し形材を根太の幅に合わせて切断して作られていることを特徴としている。
【００１２】
請求項３の発明は、デッキ固定用ベースが、板材の中心に関して反転対称の位置においてコ字形の切線に沿って打抜き曲げ加工により形成された係合部を有していることを特徴としている。
【００１３】
請求項４の発明は、デッキ固定用ベースの左右の係合部及びこれらに結合された左右のクリップの断面形状は左右対称形であることを特徴としている。
【発明の効果】
【００１４】
本発明によるデッキ材固定具は、デッキ固定用ベースと一対のクリップとからなり、デッキ固定用ベースは、根太の上面に固着され、デッキ材の連設方向に一定の距離を隔てた位置にデッキ材の長手方向に実質的に連続する係合部を有し、一対のクリップは、それぞれ、前記デッキ固定用ベースの各係合部にその係合部の連続方向に摺動して着脱自在に係合される被係合部と、隣り合って設置されるデッキ材の隣り合う端部に形成されている段部に係合されて当該デッキ材の端部を固定する固定部とを有するので、一方のクリップの固定部を一方のデッキ材の端面の段部に係合してデッキ固定用ベースを根太上面に固着し、他方のクリップの固定部を他方のデッキ材の端面の段部に係合することにより、デッキ間に所定寸法の隙間を形成しながら順次デッキ材の固定が可能である。いずれかのデッキ材の取り外しが必要になった時は、そのデッキ材の両側を固定しているデッキ材固定具の一対のクリップのうち当該デッキ材の段部に係合されているクリップをデッキ材の長手方向に摺動して係合部から離脱させることにより、当該デッキ材のみを取り外すことができ、隣接するデッキ材は残りのクリップにより固定状態を維持される。
【００１５】
請求項２の発明によるデッキ材固定具は、デッキ固定用ベースが、断面形状がほぼ工字形の押出し形材を根太の幅に合わせて切断して作られるから、製造コストが低減され、大きいクリップ保持強度が得られる。
【００１６】
請求項３の発明によるデッキ材固定具は、デッキ固定用ベースの係合部が、板材の中心に関して反転対称の位置においてコ字形の切線に沿って打抜き曲げ加工により形成されるので、切線の大きさ及び曲げ量の設定により、デッキ材間に要望される隙間寸法に容易に対応することができる。
【００１７】
請求項４の発明によるデッキ材固定具は、デッキ固定用ベースの左右の係合部及びこれらに結合された左右のクリップの断面形状が左右対称形であるので、クリップを１種類だけ製造すればよい。従って、コスト削減が可能である。
【発明を実施するための最良の形態】
【００１８】
次に本発明の実施の形態について図面に基づいて説明する。
図１は第１の実施例を示す分解斜視図、図２は同実施例によるデッキ材固定具を用いてデッキ材が根太に固定されたデッキの一部の断面図である。
【００１９】
第１の実施例においては、デッキ材固定具Ｆ１は、いずれもアルミニウム合金などの金属形材を所要長さに切断して形成されたデッキ固定用ベース４Ａと、一対のクリップ４Ｂ１，４Ｂ２とからなっている。
デッキ固定用ベース４Ａは、断面形状がほぼ工字状に形成された押出し形材を根太１の幅とほぼ等しい長さに切断して作られている。このデッキ固定用ベース４Ａを根太１の上面に安定して載せた状態で固着具、例えばねじ５で固定することができるように、平坦な定着部４１を有し、また、その定着部の中央部において断面Ｔ字形の凸部４２が形成されて、定着部４１と凸部４２によってデッキ材の連設方向、すなわち、根太の長手方向に沿って互いに反対方向に開口し、かつ、デッキ材の長手方向に実質的に連続する溝からなる係合部４３が形成されている。図示の例では、凸部４２のほぼ中央の両端部付近にねじ５を貫通するための孔４４が設けられている。しかし、ねじ貫通孔４４は凸部４２のほぼ中央に１個設けてもよいし、図１に鎖線４４´で示すように凸部の両側において定着部４１に設けられてもよい。
【００２０】
一対のクリップ４Ｂ１，４Ｂ２は、押出し形材をデッキ固定用ベース４Ａの幅よりも短い寸法に切断して形成されている。そして、下部にデッキ固定用ベース４Ａの係合部４３に摺動して着脱自在に嵌合される被係合部４５と、その被係合部から立ち上がる立上がり部４６と、その立上がり部の上端部から左右両側に水平に延びる固定部４７とを一体に有している。
【００２１】
このクリップ４Ｂ１，４Ｂ２はデッキ固定用ベース４Ａの係合部４３の長手方向端部に被係合部４５の長手方向端部を位置合わせをして、係合部４３の長手方向に押し又は叩打して移動することにより、左右の左右対称形のクリップ４Ｂ１，４Ｂ２をデッキ固定用ベース４Ａの任意の位置まで移動してデッキ固定用ベース４Ａに固定することができる。
【００２２】
上記構造の固定具Ｆ１を用いて根太１に固定されるデッキ材２Ａ，２Ｂは、一例として図２に示すように、アルミニウム合金などの金属形材で形成された本体２０の一方の凹溝２１ａから当該デッキ材の上面を覆い、他方の凹溝２１ｂまで延在する木粉入り樹脂製カバー２２が結合されて構成されている。このような構造自体は既知である。そして、デッキ材の幅方向両端部に下方に開口する凹み２３ａ，２３ｂ及びその凹みの上側において川方に開口する凹溝２１ａ，２１ｂが形成され、各凹溝の底部に段部２４ａ，２４ｂが形成されている。
【００２３】
上記デッキ材２Ａ，２Ｂを上記固定具Ｆ１を用いて根太１に固定するには、図２に示すように、根太１の端部上面に左側のデッキ材２Ａを載せた後、根太１の端部上面に固定具Ｆ１を載せ、その固定具Ｆ１の定着部４１の一部をデッキ材２Ａの凹み２３ａに挿入し、かつ、一方側のクリップ４Ｂ１の固定部４７をデッキ材２Ａの凹溝２１ａに押し込んで段部２４ａに係合させる。その状態でねじ５をデッキ固定用ベース４Ａのねじ貫通孔４４に貫通して根太１にねじ込んで固定具Ｆ１を根太１に固着する。
【００２４】
続いて、右隣りのデッキ材２Ｂを根太１の上面に載せ、さらにこれを先に固定されているデッキ材２Ａの方向に近付けて、デッキ固定用ベース４Ａの定着部４１をそのデッキ材２Ｂの凹み２３ｂに収容させ、かつ、固定具の他方のクリップ４Ｂ２の固定部４７をデッキ材２Ｂの凹溝２１ｂに押入させて段部２４ｂに係合させて固定する。
【００２５】
この場合、先のデッキ材２Ａはその端面が一方のクリップ４Ｂ１の立上がり部４６に、また、後のデッキ材２Ｂはのその端面が他方の４Ｂ２の立上がり部４６にそれぞれ当接されることにより、隣接するブッキ材間に所定寸法の隙間が確保される。所定寸法の隙間を確保するには、クリップの立上がり部に限らず、固定部４７の先端に設けた膨大部と凹溝２１ａ，２１ｂの底部との係合を利用することも可能である。
【００２６】
上述のようにして固定した任意の位置のデッキ材、例えば２Ｂの交換や一時的除去が必要になった場合は、当該デッキ材を固定している固定具Ｆ１のクリップ４Ｂ２を例えばマイナスドライバと金槌その他の適当な工具を用いてデッキ固定用ベース４Ａの係合部４３の長手方向、すなわち、デッキ材の長手方向に移動すれば、そのクリップ４Ｂ２をデッキ固定用ベース４Ａから離脱することができる。デッキ材２Ｂの右側を固定している固定具のクリップも同様にしてそのデッキ固定用ベースから離脱することができるので、このデッキ材２Ｂを根太１から取り外すことができる。その間、当該デッキ材に隣接するデッキ材、例えば２Ａは、固定具Ｆ１の残りのクリップ４Ｂ１により固定された状態を維持する。すなわち、本実施例によれば、所要のデッキ材を取り外す際に、他のデッキ材の取付け状態に影響を与えることが全くない。また、交換されたデッキ材は所定位置に静置した後、両側の固定具のデッキ固定用ベースの所定の側の係合部４３にクリップを摺動嵌合して当該デッキの段部にクリップの固定部４７を係合させれば当初の固定状態を復元することができる。すなわち、従来と異なり、固定具（デッキ固定用ベース）を根太から取り外さずに、デッキ材の交換が可能である。
【００２７】
デッキ固定用ベース４Ａは、ねじ５などの固着具により根太１の所定の位置に予め固着されてもよい。この場合は、デッキ材２Ｂをベース４Ａに近接して根太１に載せた状態でベースの係合部４３及びデッキ材２Ｂの溝２１にクリップ４Ｂ２を摺動挿入することによりデッキ材２Ｂを固定することができる。また、一方のデッキ材２Ａを根太１に載せ、そのデッキ材に、根太に載せたベース４Ａを近付けて予めベースの係合部４３に係合してある一方のクリップ４Ｂ１を一方のデッキ材２Ａの溝２１ａに嵌合してベース４Ａを根太に固着し、隣接される他方のデッキ材２Ｂをその固着された固定具に近付けて他方のデッキ材２Ｂの溝２１ｂに他方のクリップ４Ｂ２を嵌合して固定することもできる。
【００２８】
続いて、図３〜図５に示す第２実施例について説明する。図３は第２実施例に係る固定具の分解斜視図、図４は同固定具を用いてデッキ材を取付ける状態を示す斜視図、図５は同固定具を用いてデッキ材が固定されたデッキの要部の断面図である。
この実施例の固定具Ｆ２は、デッキ固定用ベース４ＡＥが幅が根太１の幅とほぼ等しい一枚の金属製矩形平板で形成され、その中心に関して反転対称の位置に形成されたコ字形の切線に沿って打抜きと折曲げ加工を施して断面Ｌ字形に突出されたクリップ固定爪４２ａ，４２ｂが形成されて、そのクリップ固定爪とデッキ固定用ベース４ＡＥの上面との間にデッキ材の長手方向に連続する溝からなる係合部４３が設けられている。他方、この実施例のクリップ４Ｂ１Ｅ，４Ｂ２Ｅは、第１実施例におけるクリップ４Ｂ１，４Ｂ２とほぼ同様に構成されている。すなわち、被係合部４５と、立上がり部４６と、上端部の固定部４７とを有して、ほぼ鉤形に形成されている。そして、第１実施例と同様に、デッキ固定用ベース４ＡＥはこれにねじ貫通孔４４が設けられていて、そのねじ貫通孔に貫通したねじ５を根太１にねじ込むことにより固着される。また、クリップ４Ｂ１Ｅ，４Ｂ２Ｅは、その被係合部４５をデッキ固定用ベース４ＡＥの係合部４３にその長手方向に摺動して嵌合し固定することができる。
【００２９】
上記構造を有する固定具Ｆ２を用いてデッキ材２を根太１に取付ける場合は、固定具のデッキ固定用ベース４ＡＥには一対のクリップ４Ｂ１，４Ｂ２が被係合部４５を係合部４３に嵌合して固定されている。図４及び図５に示すように、先に固定された左側のデッキ材２Ａの右側端部と根太の上面の間に固定具Ｆ２が、そのデッキ固定用ベース４ＡＥのほぼ半分が挿入された状態で、かつ、一方のクリップ４Ｂ１Ｅがデッキ材２Ａの段部２４ａに係合された状態で、根太１にねじ込まれたねじ５により固着される。この場合、デッキ材２Ａの右側段部２４ａよりも下側の端面はクリップ４Ｂ１Ｅの立上がり部４６に密着されて、所定位置に固定される。
次に、右側のデッキ材２Ｂが根太１の上面に載せられ、その幅方向一端部、すなわち、先に固定されたデッキ材２Ａ側の端部をデッキ固定用ベース４ＡＥの上面に載せた状態でデッキ材２Ａ方向に押し付けて、他方のクリップ４Ｂ２Ｅの固定部４７を右側のデッキ材２Ｂの凹溝２１ｂに押入し、かつ、段部２４ｂに係合させる。この場合も、テッキ材２Ｂの左側段部２４ｂよりも下側の端面はクリップ４Ｂ２Ｅの立上がり部４６に密着される。これにより、固定具Ｆ２により固定された隣り合うデッキ材の間に所定寸法の隙間が確保される。
【００３０】
上記の実施例においても、固定後にいずれかのデッキ材の交換や一時的除去が必要になった場合は、先の実施例の場合と同様に、当該デッキ材を固定する固定具のクリップを好適な工具を用いてそのデッキ材の長手方向に移動してデッキ固定用ベース４ＡＥから離脱させれば、固定具Ｆ２を取り外すことなく、そのデッキ材のみを容易に取り外すことができ、また、交換後は再びそのクリップをデッキ固定用ベース４ＡＥに挿入固定することにより、デッキ材を容易に固定することができ、従来と異なり、ドライバを用いての固定具全体の取り外し、再取り付けが不要である。しかも、取り外し対象のデッキ材以外のデッキ材は根太に固定された状態を維持している。
【図面の簡単な説明】
【００３１】
【図１】第１の実施例を示す分解斜視図。
【図２】同実施例によるデッキ材固定具を用いてデッキ材が根太に固定されたデッキの一部の断面図。
【図３】第２実施例に係る固定具の分解斜視図。
【図４】同固定具を用いてデッキ材を取付ける状態を示す斜視図。
【図５】同固定具を用いてデッキ材が固定されたデッキの要部の断面図。
【図６】従来技術の一例を示す図であり、（ａ）は要部の分解斜視図、（ｂ）は取付けられた状態における要部の断面図。
【図７】従来技術の他の例を示す図であり、（ａ）は要部の分解斜視図、（ｂ）は取付けられた状態における要部の断面図。
【図８】従来技術のさらに他の例を示す図であり、（ａ）は要部の分解斜視図、（ｂ）は取付けられた状態における要部の断面図。
【符号の説明】
【００３２】
１              根太
２Ａ，２Ｂ      デッキ材
Ｆ１，Ｆ２      デッキ材固定具
４Ａ，４ＡＥ    デッキ固定用ベース
４Ｂ１，４Ｂ２  クリップ
４Ｂ１Ｅ，Ｂ２Ｅ  クリップ
５              ねじ（固着具）
【図１】
2005083015.tif 000003
【図２】
2005083015.tif 000004
【図３】
2005083015.tif 000005
【図４】
2005083015.tif 000006
【図５】
2005083015.tif 000007
【図６】
2005083015.tif 000008
【図７】
2005083015.tif 000009
【図８】
2005083015.tif 000010